(57)【要約】【課題】番組の切り替えと、入力フェーダーのＯＮ／ＯＦＦごとに無音検知情報の読み込み中止、開始を繰り返し、正確な無音検知情報を出力することができるようにして、番組送出の監視、および安定した番組送出を行うことができる無音検知器を提供する。【解決手段】無音検知情報を出力する際、自動番組制御装置から出力される番組切り替え情報、入力フェーダー情報をトリガーとして一定時間カウントし、カウント中は無音検知を行わず、カウンターが無音検出時間となると無音検出を開始することにより、非常番組送出系切り替えを行うばかりでなく、自動番組制御装置の操作卓上の検知情報が表示される。【選択図】      図１
2005057682.tif 000002
【特許請求の範囲】
【請求項１】
ラジオ局やＴＶ局等における番組送出を行うためのマスター装置において、ベース列の無音を監視するベース列無音検知器と、ＯＬ列の無音を監視するＯＬ列無音検知器と、番組送出列の無音を監視する番組送出列無音検知器と、自動番組制御装置から番組切り替え情報を入力するとカウントする第１のカウンタと、フェーダーアンプから入力フェーダー情報を入力するとカウントする第２のカウンタとを有し、
前記第１または第２のカウンタの値が所定値になると、前記ベース列無音検知器、ＯＬ列無音検知器および番組送出列無音検知器で監視した無音情報を読み出し、当該無音情報が無音を示していると無音検知と判断することを特徴とする無音検知装置。
【請求項２】
無音情報を表示する無音情報表示器を備え、前記無音検知と判断すると、当該無音検知を前記無音情報表示器に表示させることを特徴とする請求項１に記載の無音検知装置。
【請求項３】
前記無音検知と判断すると、番組送出を非常系に切り替えることを特徴とする請求項１に記載の無音検知装置。
【発明の詳細な説明】
【技術分野】
【０００１】
本発明は、ＡＭ、ＦＭラジオ局、ＴＶ局等における番組切り替え送出を行うための自動番組制御装置に関し、特にマスター装置での音声無音検知装置に関する。
【背景技術】
【０００２】
従来、ＡＭ、ＦＭラジオ局、ＴＶ局等において自動番組制御装置での制御により番組切り替え送出を行うマスター装置は放送送出上非常に重要な部分であるため、無音検知器により、ベース列、ＯＬ列、番組送出列の各箇所の安定した番組送出、及び非常番組送出対策のため、音声送出を常時監視していた。
【０００３】
【特許文献１】特開平８−１０２７２４号公報
【発明の開示】
【発明が解決しようとする課題】
【０００４】
しかし従来の無音検知器では、無音検知レベルと無音検知レベルの継続時間（以下「無音検知時間」という。）を無音検知条件として番組送出音声を常時監視していたため、例えば番組Ａから番組Ｂへの番組送出切り替え時において、番組Ａの終了部分にＴ１時間の無音部分（無音開始ポイントをＴａｓとする。）、番組Ｂの開始部分にＴ２時間の無音部分（無音終了ポイントをＴｂｅとする。）のある場合、Ｔ１＋Ｔ２≧無音検知時間、Ｔ１＜無音検知時間、Ｔ２＜無音検知時間であると、正常な番組送出にもかかわらず、番組Ａの終了部分の無音開始ポイントＴａｓで無音検知を開始し、番組Ｂの開始部分の無音終了ポイントＴｂｅまでの間が無音検知時間となる。つまり、それぞれの番組の無音時間は無音検知時間以内であるにもかかわらず、無音検知器は無音情報を出力してしまい、監視者に不正確な警報を与えるという問題があった。
【０００５】
また、無音情報により自動的に非常番組送出系に切り替わる放送送出システムの場合、本来無音でない状態にもかかわらず上記のように無音情報を出力するため、非常番組送出となってしまい、正確に放送番組監視を行っているとは言えない状態となっていた。
【０００６】
この様な問題の解決策として、無音検出時間を長めに設定することも行われていたが、本当の無音状態が発生すると、非常番組送出系への切り替わりや監視者への警報出力が遅くなるため、上記と問題と同様に番組送出監視は十分でなく、安定した番組送出が行われない状態となっていた。
【０００７】
そこで本発明はかかる問題を解決すべく、放送番組全体にわたり無音検知を行うのではなく、番組の切り替えと、入力フェーダーのＯＮ／ＯＦＦごとに無音検知情報の読み込み中止、開始を繰り返し、正確な無音検知情報を出力することができるようにして、番組送出の監視、および安定した番組送出を行うことができる無音検知装置を提供することを目的とする。
【課題を解決するための手段】
【０００８】
かかる目的を達成すべく、本発明にかかる無音検知装置は、ラジオ局やＴＶ局等における番組送出を行うためのマスター装置において、ベース列の無音を監視するベース列無音検知器と、ＯＬ列の無音を監視するＯＬ列無音検知器と、番組送出列の無音を監視する番組送出列無音検知器と、自動番組制御装置から番組切り替え情報を入力するとカウントする第１のカウンタと、フェーダーアンプから入力フェーダー情報を入力するとカウントする第２のカウンタとを有し、前記第１または第２のカウンタの値が所定値になると、前記ベース列無音検知器、ＯＬ列無音検知器および番組送出列無音検知器で監視した無音情報を読み出し、当該無音情報が無音を示していると無音検知と判断することとする。
【０００９】
この場合、無音情報を表示する無音情報表示器を備え、前記無音検知と判断すると、当該無音検知を前記無音情報表示器に表示させることが望ましく、また、前記無音検知と判断すると、番組送出を非常系に切り替えることが望ましい。
【発明の効果】
【００１０】
本発明によれば、無音検知器での無音検知時間を長くすることによる無音の発見の遅延がなくなり、番組単位での無音監視が可能となる。また、無音検知器から出力される無音検知情報を利用して実現可能であるため、従来のアナログ音声回路で構成される無音検知器を変更しなくて良い。
【００１１】
そして、番組放送送出の正確な監視を行うことが可能となり、無音検知時間値を極力小さく設定しても無音という番組放送送出には致命的な異常を早期に発見できるようになるという効果がある。
【００１２】
つまり、無音検知情報を出力する際、自動番組制御装置から出力される番組切り替え情報、入力フェーダー情報をトリガーとして一定時間カウントし、カウント中は無音検知を行わず、カウンターが無音検出時間となると無音検出を開始することにより、上記効果を奏することができる。
【発明を実施するための最良の形態】
【００１３】
次に、本発明を実施するための最良の形態について図面を参照して説明する。
【００１４】
図１は本発明にかかる検出開始機能付無音検知装置の構成を示すブロック図である。
【００１５】
マスター装置１０は、マトリクスユニット１１と、ベース列無音検知器１２と、ＯＬ列無音検知器１３と、フェーダーアンプ１４と、プログラム送出列無音検知器１５と、非常番組送出切り替え器１６と、無音検知制御部１７とから構成される。
【００１６】
無音情報表示器２０は、ベース列１２Ｌ、ＯＬ列１３Ｌ及びプログラム送出列１５Ｌの無音情報と、非常番組切り替え器情報を表示する機能を有する。
【００１７】
自動番組制御装置（以下「ＡＰＳ」という。）３０は、番組の切り替えを行うためにマトリクスユニット１１を制御し、ベース列１２ＬとＯＬ列１３Ｌの音声をミックスするためのフェーダーアンプ１４を制御する。
【００１８】
なお、ＡＰＳ３０は番組切り替え毎に番組切り替え情報を無音検知制御部１７に出力する機能を有し、フェーダーアンプ１４は入力フェーダー情報を無音検知制御部１７に出力する機能を有する。
【００１９】
また、マスター装置１０はプログラム素材音声（Ａ、Ｂ）を前記マトリクスユニット１１にて切り替え前記フェーダーアンプ１４にて音声をミックス処理し、非常番組切り替え器１６を介して図示しない変調送信機へのステーション・ターミナル・リンクへ接続される。
【００２０】
図２は連続した番組Ａから番組Ｂへの放送プログラム内容を示す一例を示している。番組Ａの終了部分には音のない無音部ａ（Ｔ１時間）が、番組Ｂの開始部分には音のない無音部ｂ（Ｔ２時間）がそれぞれ存在する。無音検知器の無音検知時間をＴ時間とし、Ｔ、Ｔ１，Ｔ２の値に、Ｔ１＋Ｔ２≧Ｔ、Ｔ１＜Ｔ、Ｔ２＜Ｔの関係が成立する場合を考える。
【００２１】
次に動作について説明する。
【００２２】
マスター装置１０の番組送出音声は、ベース列１２Ｌ、ＯＬ列１３Ｌ及びプログラム送出列１５Ｌにおいてそれぞれ無音検知器１２、１３及び１５により監視されている。無音検知器１２，１３，１５は、監視する音声が無音検知時間（Ｔ）以上継続して所定レベル以下であると、無音検知制御部１７に対して無音検知情報を出力する。
【００２３】
また、ＡＰＳ３０は番組切り替え毎に番組切り替え情報を無音検知制御部１７に対して出力し、フェーダーアンプ１４は入力フェーダー情報を無音検知制御部１７に出力する。無音検知制御部１７はこの入力フェーダー情報により、現在、ベース列１２とＯＬ列１３の何れの送出列がフェーダーアンプ１４に出力されているのかを判断する。
【００２４】
無音検知制御部１７は、ＡＰＳ３０からの番組切り替え情報を基に、番組送出カウンターを開始させ、フェーダーアンプ１４からの入力フェーダー情報を基に、ベース列カウンターまたはＯＬ列カウンターをそれぞれ開始させる。
【００２５】
そして、無音検知制御部１７のそれぞれのカウンターが所定の無音検知時間の値となると、無音検知器１２，１３，１５からの無音検知情報を読み出し、この読み出した情報が無音であれば非常番組送出切り替え器１６を制御し、番組送出を非常系に切り替えてＣのプログラム音声がＳＴＬに接続される。
【００２６】
なお、読み出した無音情報、及び非常番組送出情報は無音情報表示部２０で表示されるようになっている。
【００２７】
このように読み出しを行った後は、カウンターをリセットして値を０に戻し、次の番組切り替え情報、入力フェーダー情報が入力されるまで、常時、無音情報の読み出しを行う。
【００２８】
そして、再び番組切り替え情報、入力フェーダー情報が入力されると、無音情報の読み出しを解除し、各カウンターのカウントを開始させ、上述のシーケンスを繰り返す。
【００２９】
図３に無音情報表示器２０の基本表示例を示す。無音情報表示器２０では送出監視列無音情報１２Ｌ，１３Ｌ，１５Ｌ、及び非常番組送出切り替え情報１６が表示される。
【図面の簡単な説明】
【００３０】
【図１】本発明にかかる検出開始機能付無音検知装置の構成を示すブロック図
【図２】連続した番組Ａから番組Ｂへの放送プログラム内容の一例を示している。
【図３】無音情報表示器２０の基本表示例を示している。
【符号の説明】
【００３１】
１０  マスター装置
１１  マトリクスユニット（ＭＴＳ）
１２、１３、１５  無音検知器（ＮＳＤ）
１４  フェーダーアンプユニット（ＦＡ）
１６  非常番組送出切り替え器（ＥＭＧ  ＳＷ‘ＥＲ）
１７  無音検知制御部（ＮＳＤ  ＣＯＮＴ）
１２Ｌ  ベース列
１３Ｌ  ＯＬ列
１５Ｌ  プログラム送出列
２０  無音情報表示（ＮＳＤ  ＰＡＮＥＬ）
３０  自動番組制御装置（ＡＰＳ）
Ａ，Ｂ，Ｃ  入力番組素材
【図１】
2005057682.tif 000003
【図２】
2005057682.tif 000004
【図３】
2005057682.tif 000005